Podtech/llm-jp-corpus-v4-ja_patent huggingface dataset:
【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  通信サーバの加入者が他の人々と連絡できるようにする方法であって、
前記加入者からデータ・ネットワークを介して別の人のＩＤを受信するステップと、
前記加入者が前記別の人に連絡するために、前記別の人への呼びのルーティング方法をユーザが決定する必要性を軽減するように、複数の異なる通信ネットワークの一つを通じて通信チャネルを前記通信サーバにより開始及び制御するステップであって、前記複数の異なる通信ネットワークが公衆交換電話網（ＰＳＴＮ）、ファクシミリ・ネットワーク、ポケットベル・ネットワーク、及びボイスオーバーＩＰ（ＶＯＩＰ）ネットワークを含むステップと、
第１の加入者の現在の位置と、前記第１の加入者に対するその位置での現在の電話番号を識別するステップと、
第１の加入者から、自分の位置が新しい位置に変更されたという指示を受信するステップであって、前記通信サーバが、第２の加入者が、前記第２の加入者が前記第１の加入者の現在の電話番号を選択することなく、前記第１の加入者に連絡できるようにすることができるステップと
を含む方法。
【請求項２】  前記連絡すべき人の前記ＩＤがインターネットによりネットワーク・ブラウザ・プログラムを介して前記サーバにより受信されることを特徴とする請求項１に記載の方法。
【請求項３】  前記通信チャネルがＰＳＴＮを通じたアナログ音声チャネルであり、前記サーバが電話交換機に信号を送って前記加入者を呼ぶことにより前記チャネルが開始され、前記別の人が彼等のそれぞれの電話番号を使用することを特徴とする請求項２に記載の方法。
【請求項４】  前記通信チャネルがＶＯＩＰネットワークを通じたＶＯＩＰチャネルであり、前記サーバが前記ＶＯＩＰネットワークに連結された電話交換機に信号を送って前記加入者を接続することにより前記チャネルが開始され、前記別の人が彼等のそれぞれのＩＰネットワークアドレスを使用することを特徴とする請求項１に記載の方法。
【請求項５】  前記通信チャネルがポケットベル・ネットワークを通じており、前記サーバが電話交換機に信号を送ってポケットベル・ネットワークによりポケットベルに連絡することにより前記チャネルが開始されることを特徴とする請求項１に記載の方法。
【請求項６】  前記通信チャネルがファクシミリ・ネットワークを通じており、前記サーバがファクシミリ伝送をサポートする電話交換機に信号を送ることにより前記チャネルが開始されることを特徴とする請求項１に記載の方法。
【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  最終の露出設定を生成する方法であって、
ａ）カメラ・イメージャを有する固体カメラ用の現在の露出設定として、複数の所定の露出設定のうち１つを選択するステップと、
ｂ）現在の露出設定を用いて、カメラ・イメージャにより取得されたシーンを生成するステップと、
ｃ）露出不足または露出過度である取得シーンに応じて、自動サーチ法によって、現在の設定となる露出設定の別の１つを選択するステップと、
ｄ）取得シーンが露出不足でも露出過度でもなくなるまで、ｂ）とｃ）を繰り返すステップとを含み、前記サーチ法が、取得シーンが著しい露出過度か、または、著しい露出不足である間はバイナリーチョップを実行し、もし取得シーンがまだ露出過度か露出不足であっても、これら過度又は不足が著しいものでない場合は、細かいサーチに変えて実行することを特徴とする方法。
【請求項２】  露出設定を用いて、取得されたシーンを決定する画素値を提供するカメラ・イメージャと、
カメラ・イメージャとは別個の測光回路を使用せずに最終の露出設定を自動的に生成する処理電子回路とを具備したカメラであって；
上記カメラは最小露出に対応する値と最大露出に対応する値から得られた複数の所定の露出設定から選択した現在の露出設定に対して、
ａ）カメラ・イメージャが現在の設定を用いて取得シーンを決める画素値を提供し、
ｂ）露出不足か、または、露出過度である取得シーンに応じて、自動サーチ法によって、上記処理電子回路が現在の設定となる複数の露出設定の中から別の１つを選択するものであり；
また上記カメラは現在の露出設定が、取得シーンを決める画素値を用いて決定されたときに、露出不足でもなければ露出過度でもない範囲になるまで、上記ａ）とｂ）を繰返し行ない、取得シーンが非常に露出不足か或は非常に露出過度のいづれかである限り、自動サーチ法は露出設定のバイナリー・チョップを実行し、次いでもし取得シーンが露出過度又は露出不足であるかそんなに大きな値でない場合、細かいサーチに変更することを特徴とするカメラ。
【手続補正書】
【提出日】平成19年3月7日(2007.3.7)
【手続補正１】
【補正対象書類名】明細書
【補正対象項目名】特許請求の範囲
【補正方法】変更
【補正の内容】
【特許請求の範囲】
【請求項１】  単離された炎症性腸疾患関連Ｉ−２ポリペプチドであって、配列番号２と実質的に同じアミノ酸配列を含む、ポリペプチド。
【請求項２】  配列番号２のアミノ酸配列を含む、請求項１に記載の単離されたＩ−２ポリペプチド。
【請求項３】  Ｉ−２ポリペプチドの単離された免疫反応性フラグメントであって、Ｉ−２ポリペプチド（配列番号２）の一部分と実質的に同じアミノ酸配列を含む、フラグメント。
【請求項４】  配列番号２の少なくとも１０個連続したアミノ酸を含む、請求項３に記載の単離された免疫反応性フラグメント。
【請求項５】  配列番号２を有するＩ−２ポリペプチドに選択的に結合する、実質的に精製された抗体物質。
【請求項６】  モノクローナル抗体物質である、請求項５に記載の実質的に精製された抗体物質。
【請求項７】  単離された核酸分子であって、配列番号２と実質的に同じアミノ酸配列をコードする核酸配列を含む、核酸分子。
【請求項８】  配列番号１の核酸配列を含む、請求項７に記載の単離された核酸分子。
【請求項９】  被験体における炎症性腸疾患（ＩＢＤ）の診断を助ける方法であって、該被験体からサンプルが得られており、以下：
（ａ）Ｉ−２ポリペプチドまたはその免疫反応性フラグメントと、該Ｉ−２ポリペプチドに対する抗体との複合体を形成するに適切な条件下で、該サンプルを、該Ｉ−２ポリペプチドまたはその該免疫反応性フラグメントと接触させる工程；ならびに
（ｂ）該複合体の存在または不在を検出する工程、
を包含し、ここで該複合体の存在は、該被験体がＩＢＤを有することを示す、
方法。
【請求項１０】  前記複合体の存在または不在が、前記Ｉ−２ポリペプチドに対する前記抗体のクラス決定部分に対して特異性を有する検出可能な二次抗体で検出される、請求項９に記載の方法。
【請求項１１】  前記ＩＢＤがクローン病である、請求項９に記載の方法。
【請求項１２】  前記Ｉ−２ポリペプチドが、配列番号２の配列を含む、請求項９に記載の方法。
【請求項１３】  ＩＢＤを有する患者において寛容を誘導する組成物であって、有効用量のＩ−２ポリペプチドまたはその寛容原性フラグメントを含む、組成物。
【請求項１４】  前記ＩＢＤがクローン病である、請求項１３に記載の組成物。
【請求項１５】  前記Ｉ−２ポリペプチドが、配列番号２の配列を含む、請求項１３に記載の組成物。
【請求項１６】  寛容化分子と組合せて、配列番号２と実質的に同じアミノ酸配列を有するＩ−２ポリペプチド、またはその寛容原性フラグメントを含む、組成物。
【請求項１７】  前記Ｉ−２ポリペプチドが、配列番号２のアミノ酸配列を有する、請求項１６に記載の組成物。
【請求項１８】  配列番号２の少なくとも１０個連続したアミノ酸を有する寛容原性フラグメントを含む、請求項１６に記載の組成物。
【請求項１９】  ＩＢＤを有する患者から得られた腸内細菌の標本において、炎症性腸疾患（ＩＢＤ）を処置する際に有用な薬剤を同定する方法であって、以下：
（ａ）該標本から、Ｉ−２ポリペプチドをコードする核酸分子を含む微生物種を単離する工程；
（ｂ）該微生物種を、薬剤と接触させる工程；および
（ｃ）該薬剤の不在下における該微生物種の増殖または生存率と比較した場合の、該微生物種の増殖または生存率の減少についてアッセイする工程、
を包含し、ここで、該微生物種の増殖または生存率の該減少は、該薬剤が、ＩＢＤを処置する際に有用な薬剤であることを示す、方法。
【請求項２０】  前記ＩＢＤがクローン病である、請求項１９に記載の方法。
【請求項２１】  前記薬剤が抗生物質である、請求項１９に記載の方法。
【請求項２２】  炎症性腸疾患（ＩＢＤ）を処置する際に有用な薬剤を同定する方法であって、以下：
（ａ）非ヒト動物にＩ−２ポリペプチドを投与する工程であって、これによって、ＩＢＤの１以上の症状が示される、工程；
（ｂ）該非ヒト動物に、薬剤を投与する工程；および
（ｃ）ＩＢＤに特徴的な１以上の該症状のレベルをアッセイする工程、
を包含し、ここで、コントロールレベルと比較した場合の、１以上の該症状のレベルにおける減少は、該薬剤が、ＩＢＤを処置する際に有用であることを示す、方法。
【請求項２３】  前記ＩＢＤがクローン病である、請求項２２に記載の方法。
【請求項２４】  前記Ｉ−２ポリペプチドが、配列番号２のアミノ酸配列を有する、請求項２２に記載の方法。
【請求項２５】  前記非ヒト動物が、Ｇαｉ２−／−マウス；ＴＣＲα−／−マウス、およびＩＬ−１０−／−マウスからなる群から選択されるマウスである、請求項２２に記載の方法。
【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  一時的残留磁気及び試料（１）の強磁性相転移温度から離れた初期温度を示す試料（１）と、試料（２）に磁場を印加することによって前記試料を磁化する手段（２）とを具備する、サイクル継続時間が一秒の一万分の一未満である熱力学サイクルを実施するための装置であって、
試料（１）からの磁場の除去に引き続いて、その中に残存する磁気によって誘起される磁場に逆らって試料（１）の磁区を再度無秩序化する仕事において試料（１）中の熱エネルギーが消費されることに起因して試料（１）の温度が低下することを特徴とし、  試料（１）が周囲からの熱によって温められて試料（１）内の磁区が無秩序な方位をとり、結果として、前記磁区の整列によって起る磁場が崩壊して独立磁束を与えるように構成された熱力学サイクルを実施するための装置。
【請求項２】  独立磁束の少なくとも一部分を電流に変換する手段（２）をさらに有する、請求項１に記載の装置。
【請求項３】  試料（１）が第一透磁率を具備し、且第二透磁率を具備するある量の材料が試料（１）に隣接して備え付けられており、第一透磁率が第二透磁率より低いことを特徴とする、請求項１又は２に記載の装置。
【請求項４】  試料（１）を磁化する手段が電流の流れを含む、請求項１乃至３のいずれかに記載の装置。
【請求項５】  試料を磁化する手段が少なくとも一つの回転する永久磁石から成る、請求項１乃至３のいずれかに記載の装置。
【請求項６】  一時的残留磁気を示し、かつ試料（１）の強磁性相転移温度から離れた初期温度を有する試料（１）を供給する工程と、試料（１）に磁界を印加することによって試料（１）を磁化する工程と、試料（１）を減磁して独立磁束を発生させる工程と、  前記試料を周囲からの熱で温めて、試料（１）内の磁区が無秩序な方位をとり、結果として前記磁区の整列によって起る磁場が崩壊して独立磁束を与える工程と、前記独立磁束の少なくとも一部分を電流に変換する工程とを有する、サイクル継続時間が一秒の一万分の一未満である熱力学サイクルによってエネルギー変換する方法であって、
前記減磁工程においては、試料（１）からの磁場の除去に引き続いて、その中に残存する磁気によって誘起される磁場に逆らって試料（１）の磁区を再度無秩序化する仕事において試料（１）中の熱エネルギーが消費されることに起因して試料（１）の温度が低下する、熱力学サイクルによってエネルギー変換する方法。
【請求項７】  試料（１）を供給する工程が、強磁性流体を供給する工程を含む、請求項６に記載の方法。
【請求項８】  試料（１）を供給する工程が、第一透磁率を有する試料（１）を供給する工程と、さらに第二透磁率を有するある量の材料を試料（１）に隣接して備え付ける工程とを含み、第一透磁率は第二透磁率よりも高い、請求項６又は７に記載の方法。
【請求項９】  少なくとも一つの回転する永久磁石（９）が前記試料を磁化する、請求項６乃至８に記載の方法。
【請求項１０】  それ自身を貫通して電流の流れを輸送できる輸送体が試料（１）を磁化する、請求項６乃至８に記載の方法。
【請求項１１】  前記磁化する工程及び変換する工程は、前記試料を磁化し、かつ前記独立磁束の少なくとも一部分を電流に変換することができる単一の手段（３，２）によって実行される、請求項６乃至１０に記載の方法。
【請求項１２】  融点が前記試料の作動温度範囲に近いマイクロカプセル化した材料を具備する循環装置を供給する工程をさらに有する、請求項６乃至１１いずれかに記載の方法。
【請求項１３】  請求項６乃至１２いずれかの方法に従って発電する方法。
【請求項１４】  そのための電力が請求項１３の方法によって与えられる冷却方法。
【請求項１５】  請求項６乃至１３いずれかに記載の各工程を実行することができる熱力学サイクル。
【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  上皮ナトリウムチャンネル（ＥＮａＣ）に対するヒト細胞容量調節キナーゼ h-sgk の刺激作用の抑制による高血圧症の治療のために h-sgk のインヒビターを含有する医薬。
【請求項２】  インヒビターとしてケレリスリンを含有する請求項１記載の医薬。
【請求項３】  上皮ナトリウムチャンネル（ＥＮａＣ）および／またはＮａ+,Ｋ+,２Ｃｌ-コトランスポーター（ＮＫＣＣ）に対するヒト細胞容量調節キナーゼ h-sgk の刺激の抑制による、肝硬変、線維形成性膵炎、肺線維症、放射性線維症、皮膚硬化症、嚢胞性線維および慢性気管支炎の群からの少なくとも１種の疾病の治療のために、h-sgk のインヒビターを含有する医薬。
【請求項４】  インヒビターとしてスタウロスポリンまたはケレリスリンを含有する請求項３記載の医薬。
【請求項５】  Ｎａ+,Ｋ+,２Ｃｌ-コトランスポーター（ＮＫＣＣ）の刺激および／または脳特異的ナトリウムチャンネル（ＭＤＥＧ）のブロックによる、てんかんの治療のために、ヒト細胞容量調節キナーゼ h-sgk のアクティベーターを含有する医薬。
【請求項６】  上皮ナトリウムチャンネル（ＥＮａＣ）に対するヒト細胞容量調節キナーゼ h-sgk の刺激作用の抑制による高血圧症の治療のために h-sgk のインヒビターを含有する医薬を製造する方法。
【請求項７】  インヒビターとしてケレリスリンを含有する請求項６記載の方法。
【請求項８】  上皮ナトリウムチャンネル（ＥＮａＣ）および／またはＮａ+,Ｋ+,２Ｃｌ-コトランスポーター（ＮＫＣＣ）に対するヒト細胞容量調節キナーゼ h-sgk の刺激の抑制による、肝硬変、線維形成性膵炎、肺線維症、放射性線維症、皮膚硬化症、嚢胞性線維および慢性気管支炎の群からの少なくとも１種の疾病の治療のために、h-sgk のインヒビターを含有する医薬を製造する方法。
【請求項９】  インヒビターとしてスタウロスポリンまたはケレリスリンを含有する請求項８記載の方法。
【請求項１０】  Ｎａ+,Ｋ+,２Ｃｌ-コトランスポーター（ＮＫＣＣ）の刺激および／または脳特異的ナトリウムチャンネル（ＭＤＥＧ）のブロックによるてんかんの治療のために、ヒト細胞容量調節キナーゼ h-sgk のアクティベーターを含有する医薬を製造する方法。
【請求項１１】  高血圧症および／または肝硬変、線維形成性膵炎、肺線維症、放射
性線維症、皮膚硬化症、嚢胞性線維および慢性気管支炎の群からの少なくとも１種の疾病の治療のために、上皮ナトリウムチャンネル（ＥＮａＣ）またはＮａ+,Ｋ+,２Ｃｌ-コトランスポーター（ＮＫＣＣ）またはそれらの混合物のインヒビターを含有する医薬を製造する方法。
【請求項１２】  ヒト細胞容量調節キナーゼ h-sgk の定量的検出からなる、高血圧症／低血圧症または線維形成性膵炎、放射性線維症、皮膚硬化症、嚢胞性線維、慢性気管支炎およびてんかんの群からの少なくとも１種の疾病の診断のための方法。
【請求項１３】  請求項１２記載のヒト細胞容量調節キナーゼ h-sgk の定量的検出を実施するためのキット。
【請求項１４】  ヒト細胞容量調節キナーゼ h-sgk のインヒビターを同定する方法において、上皮ナトリウムチャンネル（ＥＮａＣ）および／または脳特異的ナトリウムチャンネル（ＭＤＥＧ）活性の修飾および／またはＮａ+,Ｋ+,２Ｃｌ-コトランスポーター（ＮＫＣＣ）活性の修飾を測定する方法。
【手続補正２】
【補正対象書類名】図面
【補正対象項目名】図３
【補正方法】変更
【補正の内容】
【図３】
2002542196.tif 000001
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  肝臓の脂肪症、脂肪性肝炎、インシュリン耐性、損傷したグルコース寛容性、Ｘ症候群、異常な血小板機能、または異常な血管反応性からなる群より選択される状態を処置またはそれらについての素因を減少させるための組成物であって、少なくとも１つの治療有効量のイソフラボノイドを含む、組成物。
【請求項２】  前記イソフラボノイドがダイズに由来する、請求項１に記載の組成物。
【請求項３】  前記イソフラボノイドが、ダイズタンパク質のイソフラボンを多く含む画分中に含まれる、請求項１に記載の組成物。
【請求項４】  前記イソフラボノイドが、ゲニステイン、ゲニスチン、６’’−Ｏ−マロニルゲニスチン、６’’−Ｏ−アセチルゲニスチン；ダイドゼイン、ダイドジン、６’’−Ｏ−マロニルダイドジン、６’’−Ｏ−アセチルゲニスチン；グリシテイン、グリシチン、６’’−Ｏ−マロニルグリシチン、６’’−Ｏ−アセチルグリシチン、Ｂｉｏｃｈａｎｉｎ  Ａ、またはホルモノネチンを含有している化合物の少なくとも１つである、請求項１に記載の組成物。
【請求項５】  前記イソフラボノイドがダイズタンパク質と組合せての投与に適している、請求項１に記載の組成物。
【請求項６】  前記ダイズタンパク質がダイズタンパク質単離物である、請求項５に記載の組成物。
【請求項７】  前記ダイズタンパク質がダイズタンパク質濃縮物である、請求項５に記載の組成物。
【請求項８】  前記イソフラボンを多く含む画分が、ダイズタンパク質と組合せての投与に適している、請求項３に記載の組成物。
【請求項９】  前記ダイズタンパク質がダイズタンパク質単離物である、請求項８に記載の組成物。
【請求項１０】  前記ダイズタンパク質がダイズタンパク質濃縮物である、請求項８に記載の組成物。
【請求項１１】  前記イソフラボノイドが、ダイズタンパク質以外の少なくとも１つの食餌療法用の成分またはサプリメントと組合せての投与に適している、請求項１に記載の組成物。
【請求項１２】  前記イソフラボンを多く含む画分が、ダイズタンパク質以外の少なくとも１つの食餌療法用の成分またはサプリメントと組合せての投与に適している、請求項３に記載の組成物。
【請求項１３】  前記イソフラボンを多く含む画分が、サポニン、レシチン、フェノール酸、トリプシンインヒビター、フィトステロール、ペプチド、およびオリゴサッカライドからなる群より選択される少なくとも１つの成分を含有している、請求項３に記載の組成物。
【請求項１４】  肝臓の脂肪症、脂肪性肝炎、インシュリン耐性、損傷したグルコース寛容性、Ｘ症候群、異常な血小板機能、または異常な血管反応性からなる群より選択される状態を処置またはそれらの状態に対する素因を減少させるための組成物であって、サポニン、レシチン、フェノール酸、トリプシンインヒビター、フィトステロール、ペプチド、およびオリゴサッカライドからなる群より選択される少なくとも１つのイソフラボンを多く含む画分の成分の治療有効量を含む、組成物。
【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】
常法に従い、結晶化、ろ過、洗浄および乾燥することによって、脂肪酸エステルとメタノールとの混合物から、植物ステロールを回収する方法であって、
メタノールの用量は、ステロールを基準に、25〜75重量％であることを特徴とする方法。
【請求項２】  菜種油および／または大豆油ステロールを用いる請求項1記載の方法。
【請求項３】  結晶化後に、粗製ステロールを、脂肪酸エステルで洗浄する請求項1または2記載の方法。
【手続補正２】
【補正対象書類名】明細書
【補正対象項目名】０００８
【補正方法】変更
【補正の内容】
【０００８】
結晶化
ステロール留分は、このアルコール成分の他に、主としてメチルエステルを含んでおり、かかるステロール留分の結晶化は、常法に従い、約90〜100℃に加熱した熱混合物を、晶出装置によって、約10℃まで、ゆっくり冷却して実施することができる。要すれば、エステル交換に使用した、混合物中に存在しうるアルカリ触媒を、予め、クエン酸などの酸によって中和してもよい。本発明によれば、製造に際し、ステロール／メタノールの重量比が100：25〜100：75であるような混合物のみを使用すべきである。この範囲外の場合、メタノールを添加または留去する必要がある。以上の条件下、温度75〜80℃で結晶化を開始する。もちろん、エステル交換生成物に代えて、粗製のステロールを使用することができ、前記方法に従い、メタノールおよび所望によりメチルエステルを添加し、得られた混合物を濃縮することができる。所望により、粗製のステロールは、メチルエステル留分で洗浄することができる。この洗浄により、少量の生成物は、損失するが、不変的な色彩の改善が得られる。次いで、析出した植物ステロールを、常法で採取し、精製する。すなわち、析出した植物ステロールを、ろ取し、洗浄してエステルを除去し、恒量まで乾燥する。
【手続補正書】
【提出日】平成19年3月20日(2007.3.20)
【手続補正１】
【補正対象書類名】明細書
【補正対象項目名】請求項１
【補正方法】変更
【補正の内容】
【請求項１】  液圧式およびまたは空気圧式圧力制御装置に装着するための、フレーム状壁部分内に設けた少なくとも１個の弁コイルを備え、この圧力制御装置が流体通路内に少なくとも１個の弁を備え、この弁が圧力媒体制御のために弁コイルによって電磁的に操作可能であり、フレーム状の壁部分が圧力制御装置と反対側の端面を閉鎖され、フレーム状の壁部分内に、弁コイルを電子コントローラに接続するための少なくとも１個の部品が配置されている、特に自動車のブレーキ圧力制御システムのための弁コイル支持体において、弁コイル（１）がフレーム状壁部分（４）に連結された底（５）の方に向いており、弁コイル支持体（１５）を圧力制御装置（３）に取付けた後で、前記底が弁コイル（１）を湿気の作用を受けないように保護し、弁コイル（１）が弁コイル支持体（１５）内に取付けるために専ら底（５）の方に向けてフレーム状壁部分（４）に挿入されていることを特徴とする弁コイル支持体。
【手続補正２】
【補正対象書類名】明細書
【補正対象項目名】請求項４
【補正方法】変更
【補正の内容】
【請求項４】  フレーム状の壁部分（４）が、板状の底（５）の範囲において圧力制御装置（３）寄りの端面に、プラグ接点（９）と同軸に配置された他の穴（６）を備え、圧力制御装置（３）から突出する、圧力制御装置（３）によって収容されたモータポンプ装置（１０）のためのプラグ接点（９）が、前記穴を通ってフレーム状の壁部分（４）内に延びていることを特徴とする請求項１記載の弁コイル支持体。
【手続補正書】
【提出日】平成19年3月26日(2007.3.26)
【手続補正１】
【補正対象書類名】明細書
【補正対象項目名】特許請求の範囲
【補正方法】変更
【補正の内容】
【特許請求の範囲】
【請求項１】  少なくとも一つの層と、
約０．１から約３０重量パーセントの天然脂肪又は油、
約０．１から約１０重量パーセントのステロール又はステロール誘導体、
約０．１から約３０重量パーセントの湿潤剤、
約０．５から約２０重量パーセントで、親水親油性比（ＨＬＢ）の範囲が約７から約１８の乳化界面活性剤、及び、
約４５から約９９．５重量パーセントの水、
からなる水中油型乳濁液組成物と、
を有し、皮膚のバリアーを高めるウェットワイプ又はワイプ型の製品。
【請求項２】  （ａ）少なくとも一つの、不織材料の単一層ウェブを準備し、（ｂ）天然脂肪又は油と、ステロール又はステロール誘導体と、湿潤剤と、ＨＬＢが約７から約１８の範囲の乳化界面活性剤とを有する水中油型乳濁液組成物を、前記不織材料に塗布し、（ｃ）前記ウェブを個々のシートに裁断し、ウェットワイプ又はワイプ型製品を形成する、ことを含むウェットワイプ又はワイプ型製品を製造する方法。
【請求項３】  天然脂肪又は油を約０．１から約３０重量パーセント、ステロール又はステロール誘導体を約０．１から約１０重量パーセント、湿潤剤を約０．１から約３０重量パーセントと、ＨＬＢが約７から約１８の範囲の乳化界面活性剤を約０．５から約２０重量パーセント、及び、水を約４５から約９９．５重量パーセント有する水中油型乳濁液組成物。
【請求項４】  約０．１から約３０重量パーセントの天然脂肪又は油、
約０．１から約１０重量パーセントのステロール又はステロール誘導体、
約０．１から約３０重量パーセントの湿潤剤、
約０．５から約２０重量パーセントで、親水親油性比（ＨＬＢ）の範囲が約７から約１８である乳化界面活性剤、及び、
約４５から約９９．５重量パーセントの水、
からなる水中油型乳濁液組成物を持つ、皮膚のバリアーを高めるウェットワイプ又はワイプ型の製品。
【請求項５】  （ａ）不織材料のウェブを準備し、（ｂ）天然脂肪又は油と、ステロール又はステロール誘導体と、湿潤剤と、ＨＬＢが約７から約１８の範囲である乳化界面活性剤とを有する水中油型乳濁液組成物を、前記不織材料に塗布し、（ｃ）前記ウェブを、個々の製品の大きさの小片ワイプ型製品又はワイプ型製品用の成分に裁断する、ことを含む不織ワイプ型の製品を製造する方法。
【手続補正書】
【提出日】平成19年3月15日(2007.3.15)
【手続補正１】
【補正対象書類名】明細書
【補正対象項目名】請求項９
【補正方法】変更
【補正の内容】
【請求項９】  請求項１に記載の化合物および／または薬理学的に認容性の塩と一緒に汎用の薬理学的賦形剤および／または担持剤を含有する、胃腸疾患を予防および治療する医薬品。
【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】癌治療用の医薬組成物を製造するための、化学療法的に有効量の抗腫瘍剤とヘマトクリット上昇剤との組み合わせ使用であって、この際、前記抗腫瘍剤が、シスプラチン又はカルボプラチンであり、しかも、前記ヘマトクリット上昇剤が、エリスロポイエチン又はエリスロポイエチンに似た物質であることを特徴とする、癌治療用の医薬組成物を製造するための抗腫瘍剤とヘマトクリット上昇剤との組み合わせ使用。
【請求項２】前記抗腫瘍剤がシスプラチンであることを特徴とする請求項１記載の使用。
【請求項３】前記抗腫瘍剤がカルボプラチンであることを特徴とする請求項１記載の使用。
【請求項４】前記ヘマトクリット上昇剤がエリスロポイエチンであることを特徴とする請求項１記載の使用。
【請求項５】前記ヘマトクリット上昇剤がエリスロポイエチンに似た物質であることを特徴とする請求項１記載の使用。
【請求項６】前記抗腫瘍剤がシスプラチンであり、前記ヘマトクリット上昇剤がエリスロポイエチンであることを特徴とする請求項１記載の使用。
【請求項７】前記シスプラチンが、２５ｍｇ／ｍ２〜３００ｍｇ／ｍ２の間の量にて使用されることを特徴とする請求項６記載の使用。
【請求項８】前記シスプラチンが、５０ｍｇ／ｍ２〜１００ｍｇ／ｍ２の間の量にて使用されることを特徴とする請求項７記載の使用。
【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】  皮膚用の医薬組成物であって、
少なくとも1つのビタミンDまたはビタミンD類似体からなる第1の薬理学的活性成分A、および少なくとも１つのコルチコステロイドからなる第2の薬理学的活性成分Bを含有し；
前記第1成分Aの至適安定pHと前記第2成分Bの至適安定pHとの差が少なくとも1であり；
(i)一般式R3(OCH2C(R1)H)xOR2 (I)（式中、xは2〜60の範囲であり、各x単位中のR1は独立してHまたはCH3であり、R2は直鎖または分枝鎖C1-20アルキルまたはベンゾイルであり、R3はHまたはフェニルカルボニルオキシである）の化合物、
(ii)C4〜C8ジカルボン酸のジ-(直鎖または分枝鎖)-C4-10アルキルエステル、
(iii)直鎖または分枝鎖C12-18-アルキルベンゾエート、
(iv)直鎖または分枝鎖C10-18アルカン酸またはアルケン酸の直鎖または分枝鎖C2-4アルキルエステル、
(v)C8-14アルカン酸とのプロピレングリコールジエステル、および
(vi)分枝鎖第1級C18-24アルカノール
からなる群から選択される少なくとも1つの溶媒成分Cをも含有する、
医薬組成物。
【請求項２】  前記ビタミンD類似体は、セオカルシトール、カルシポトリオール、カルシトリオール、タカルシトール、マキサカルシトール、パリカルシトール、ファレカルシトリオール、1α,24S-ジヒドロキシ-ビタミンD2、および1(S),3(R)-ジヒドロキシ-20(R)-[((3-(2-ヒドロキシ-2-プロピル)-フェニル)-メトキシ)-メチル]-9,10-セコ-プレグナ-5(Z),7(E),10(19)-トリエン、ならびにその混合物からなる群から選択される、請求項1に記載の組成物。
【請求項３】  前記ビタミンD類似体は、カルシポトリオール、カルシトリオール、タカルシトール、マキサカルシトール、および1(S),3(R)-ジヒドロキシ-20(R)-[((3-(2-ヒドロキシ-2-プロピル)-フェニル)-メトキシ)-メチル]-9,10-セコ-プレグナ-5(Z),7(E),10(19)-トリエン、ならびにその混合物からなる群から選択される、請求項2に記載の組成物。
【請求項４】  前記ビタミンD類似体は、ヒトおよび他の哺乳動物の乾癬および関連皮膚障害に有効である、請求項1〜3のいずれか1項に記載の組成物。
【請求項５】  前記ビタミンD類似体は、カルシポトリオールまたはその水和物である、請求項4に記載の組成物。
【請求項６】  前記コルチコステロイドは、ベタメタゾン、クロベタゾール、クロベタソン、デゾキシメタゾン、ジフルコルトロン、ジフロラゾン、フルオシノニド、フルメタゾン、フルオシノロン、フルチカゾン、フルプレドニデン、ハルシノニド、ヒドロコルチゾン、モメタゾン、トリアムシノロン、および薬学的に受容可能なそのエステルおよびアセトニドならびにその混合物からなる群から選択される、請求項1〜5のいずれか1項に記載の組成物。
【請求項７】  前記エステルまたはアセトニドは、17-バレレート、17-プロピオネート、17,21-ジプロピオネート、アセトニド、アセトニド-21-N-ベンゾイル-2-メチル-β-アラニネート、アセトニド-21-(3,3-ジメチルブチレート)、および17-ブチレートからなる群から選択される、請求項6に記載の組成物。
【請求項８】  前記コルチコステロイドは、中ないし弱作用コルチコステロイドからなる群から選択される、請求項1〜5のいずれか１項に記載の組成物。
【請求項９】  前記コルチコステロイドがヒドロコルチゾンまたはその17-ブチレートエステルである、請求項8に記載の組成物。
【請求項１０】  非水性組成物の形態である、請求項1〜9のいずれか1項に記載の組成物。
【請求項１１】  軟膏である、請求項10に記載の組成物。
【請求項１２】  実質的に下記組成を有する、請求項11に記載の組成物：
2002542293.tif 000001
【請求項１３】  ローションである、請求項1〜9のいずれか１項に記載の組成物。
【請求項１４】  実質的に下記組成を有する、請求項13に記載の組成物：
2002542293.tif 000002
【請求項１５】  ヒトおよび他の哺乳動物の乾癬および関連皮膚障害処置において、前記成分AまたはBの一方のみを含む任意の組成物を使用した場合に達成される効果よりも高い効果を示す、請求項1〜14のいずれか１項に記載の組成物。
【請求項１６】  前記効果がPASIスコアの変化率として測定される、請求項15に記載の組成物。
【請求項１７】  前記成分Cは、一般式H(OCH2C(R1)H)xOR2 (II)（式中、R1、x、およびR2は請求項1のように定義される）の化合物およびその混合物からなる群から選択される、請求項1に記載の組成物。
【請求項１８】  前記R1がCH3である、請求項17に記載の組成物。
【請求項１９】  前記成分Cがポリオキシプロピレン-15-ステアリルエーテルである、請求項17に記載の組成物。
【請求項２０】  0.001〜0.25mg/gまたはmlの前記成分Aおよび0.005〜0.1％ w/wの前記成分Bを含む、請求項1〜19のいずれか1項に記載の組成物。
【請求項２１】  ミコナゾール、クロトリマゾール、テルビナフィン、シクロピロックス、ビフォナゾール、ナイスタチン、ケトコナゾール、エコナゾール、およびアモロルフィンからなる群から好ましくは選択される抗真菌薬をさらに含む、請求項1〜20のいずれか1項に記載の医薬組成物。
【請求項２２】  ペントキシフィリン、プロペントフィリン、およびトルバフィリンからなる群から選択されるキサンチン誘導体または任意の他のキサンチンもしくはキサンチン誘導体を含まない、請求項1〜21のいずれか1項に記載の医薬組成物。
【請求項２３】  ヒトおよび他の哺乳動物の乾癬および関連皮膚障害を局所処置するための医薬の製造における、請求項1〜22のいずれか1項に記載の組成物の使用。
【請求項２４】  請求項1〜22のいずれか1項に記載の組成物の有効量を処置を必要とする患者に局所投与することを含んで成る、乾癬および関連皮膚疾患の処置方法。
【請求項２５】  前記組成物の医学的有効量を1日1回または2回局所投与することを含んで成る、請求項24に記載の方法。
【手続補正書】
【提出日】平成19年3月26日(2007.3.26)
【手続補正１】
【補正対象書類名】明細書
【補正対象項目名】特許請求の範囲
【補正方法】変更
【補正の内容】
【特許請求の範囲】
【請求項１】  線維症状態を有する被験体に投与するのに適している、抗α４抗体ホモログを含む、組成物。
【請求項２】  前記抗体ホモログが、ヒト抗体、キメラ抗体、ヒト化抗体およびそれらのフラグメントからなる群から選択される、請求項１に記載の組成物。
【請求項３】  前記組成物が、約０．１〜約２０ｍｇ／ｋｇ体重を提供するような投薬量で投与するのに適している、請求項１に記載の組成物。
【請求項４】  請求項１に記載の組成物であって、ここで、前記抗体ホモログが、米国特許第５，８４０，２９９号の表６の配列の群または該核酸配列の相補体から選択された核酸配列に、高ストリンジェンシー条件下でハイブリダイズする核酸を含む核酸配列によってコードされるその一部分を有するヒト化抗体である、組成物。
【請求項５】  請求項１に記載の組成物であって、ここで、前記抗体ホモログが、米国特許第５，８４０，２００号の表６の核酸配列の群または該核酸配列の相補体から選択された核酸配列に、低ストリンジェンシー条件下でハイブリダイズする核酸を含む核酸配列によってコードされるその一部分を有するヒト化抗体である、組成物。
【請求項６】  請求項１に記載の組成物であって、ここで、前記抗体ホモログが、ポリペプチド配列をコードする核酸配列に、低ストリンジェンシー条件下でハイブリダイズする核酸を含む核酸配列によってコードされるその一部分を有するヒト化抗体であり、該ポリペプチド配列が、以下：ａ）米国特許第５，９３２，２１４号に見出される配列番号２；ｂ）米国特許第５，９３２，２１４号に見出される配列番号４；およびｃ）細胞株ＡＴＣＣ  ＣＲＬ  １１１７５によって産生される抗体の可変ドメインからなる群から選択される、組成物。
【請求項７】  請求項１に記載の組成物であって、ここで、前記抗体ホモログが、ポリペプチド配列をコードする核酸配列に、高ストリンジェンシー条件下でハイブリダイズする核酸を含む核酸配列によってコードされるその一部分を有するヒト化抗体であり、該ポリペプチド配列が、以下：ａ）米国特許第５，９３２，２１４号に見出される配列番号２；ｂ）米国特許第５，９３２，２１４号に見出される配列番号４；およびｃ）細胞株ＡＴＣＣ  ＣＲＬ  １１１７５によって産生される抗体の可変ドメインからなる群から選択される、組成物。
【請求項８】  被験体における線維症を処置するための組成物であって、該組成物は、治療的有効量のＶＬＡ−１アンタゴニストを含む、組成物。
【請求項９】  被験体における線維症状態を処置するための薬学的組成物の調整のための、α４サブユニット保有インテグリンとα４サブユニット保有インテグリンのリガンドとの間の相互作用のアンタゴニストである抗体ホモログを含む組成物の使用。
【請求項１０】  前記線維症が内部器官の線維症である、請求項９に記載の使用。
【請求項１１】  前記内部器官が、肝臓、肺、腎臓、心臓血管、胃腸管である、請求項１０に記載の使用。
【請求項１２】  前記被験体は、肺線維症、骨髄線維症、肝硬変、メサンギウム増殖性糸球体腎炎、半月形糸球体腎炎、糖尿病性ネフロパシー、腎間質性線維症、またはＨＩＶ関連ネフロパシーを患っている、請求項９に記載の使用。
【請求項１３】  前記線維症は皮膚線維症である、請求項９に記載の使用。
【請求項１４】  前記被験体は、強皮症、限局性強皮症、ケロイド、過形成性瘢痕、家族性皮膚コラゲノーマまたはコラーゲン型の結合組織母斑を患っている、請求項１３に記載の使用。
【請求項１５】  前記線維症は眼の線維症である、請求項９に記載の使用。
【請求項１６】  前記被験体は、糖尿病性網膜症、術後瘢痕または増殖性硝子体網膜症を患っている、請求項１５に記載の使用。
【請求項１７】  前記抗体またはそのフラグメントは、ヒト化抗体、ヒト抗体もしくはキメラ抗体、またはヒト化抗体のフラグメント、ヒト抗体のフラグメント、もしくはキメラ抗体のフラグメントである、請求項９〜１６のいずれか１項に記載の使用。
【請求項１８】  前記薬学的組成物は、
（ａ）０．１ｍｇ／ｋｇ／日〜１０ｍｇ／ｋｇ／日の用量で；
（ｂ）１〜１４日間の投与期間にわたって；および
（ｃ）１ｍｇ／ｍｌ以上の該抗体もしくはそのフラグメントの血漿レベルを維持するに十分な量で、
投与されるように構成されている、請求項９〜１７のいずれか１項に記載の使用。
【請求項１９】  前記抗体もしくはそのフラグメントは、ヒト化マウス２１．６抗体またはそのフラグメントである、請求項９〜１８のいずれか１項に記載の使用。
【請求項２０】  前記被験体はヒトである、請求項９〜１９のいずれか１項に記載の使用。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  キット製品であって、
（ａ）低分子量トロンビン阻害物質またはその薬学的に許容しうる誘導体を、薬学的に許容しうるアジュバント、希釈剤または担体との混合物で含む医薬製剤；および
（ｂ）低分子量トロンビン阻害物質のプロドラッグまたはそのプロドラッグの薬学的に許容しうる誘導体を、薬学的に許容しうるアジュバント、希釈剤または担体との混合物で含む医薬製剤
を含み、成分（ａ）および（ｂ）がそれぞれ、もう一方と一緒の投与に適する形で与えられているキット製品。
【請求項２】  成分（ｂ）のプロドラッグが、成分（ａ）のトロンビン阻害物質のプロドラッグである請求項１に記載のキット製品。
【請求項３】  成分（ａ）および（ｂ）が、トロンビンの阻害が必要とされるまたは望まれる状態の治療において逐次的、別々のおよび／または同時の使用に適している請求項１または請求項２に記載のキット製品。
【請求項４】  状態が深静脈血栓症である請求項３に記載のキット製品。
【請求項５】  トロンビン阻害物質がメラガトランである請求項１〜４のいずれか１項に記載のキット製品。
【請求項６】  プロドラッグが、式
Ｒ１Ｏ２Ｃ−ＣＨ２−（Ｒ）Ｃｇｌ−Ａｚｅ−Ｐａｂ−ＯＨ
（式中、Ｒ１は、直鎖または分岐状Ｃ１−６アルキルであり、ＯＨ基は、Ｐａｂ中のアミジノ水素の一つに取って代わる）
を有する請求項５に記載のキット製品。
【請求項７】  Ｒ１が、メチル、エチルまたはプロピルである請求項６に記載のキット製品。
【請求項８】  Ｒ１が、エチルである請求項７に記載のキット製品。
【請求項９】  トロンビン阻害物質またはその誘導体を含む製剤が非経口製剤であり、そのプロドラッグまたはその誘導体を含む製剤が経口製剤である請求項１〜８のいずれか１項に記載のキット製品。
【請求項１０】  請求項１〜９のいずれか１項に記載のキット製品を製造する方法であって、請求項１〜９のいずれか１項に記載の成分（ａ）を、請求項１〜９のいずれか１項に記載の成分（ｂ）と連結させ、それによって該二つの成分を互いに一緒に投与するの適当にさせることを含む方法。
【請求項１１】  低分子量トロンビン阻害物質（またはその薬学的に許容しうる誘導体）および低分子量トロンビン阻害物質のプロドラッグ（またはそのプロドラッグの薬学的に許容しうる誘導体）を、薬学的に許容しうるアジュバント、希釈剤または担体との混合物で含む医薬製剤。
【請求項１２】  プロドラッグが、式
Ｒ１Ｏ２Ｃ−ＣＨ２−（Ｒ）Ｃｇｌ−Ａｚｅ−Ｐａｂ−ＯＨ
（式中、Ｒ１は、直鎖または分岐状Ｃ１−６アルキルであり、ＯＨ基は、Ｐａｂ中のアミジノ水素の一つに取って代わる）
を有する、請求項１１に記載の医薬製剤。
【請求項１３】  Ｒ１が、メチル、エチルまたはプロピルである、請求項１２に記載の医薬製剤。
【請求項１４】  Ｒ１がエチルである、請求項１３に記載の医薬製剤。
【請求項１５】  トロンビンの阻害が必要とされるまたは望まれる状態の治療または予防用の、請求項１〜９のいずれか１項に記載のキット製品、または請求項１１〜１４のいずれか１項に記載の医薬製剤。
【請求項１６】  キット製品の成分（ａ）が、キット製品の成分（ｂ）の投与の開始前に投与される、請求項１５に記載のキット製品。
【請求項１７】  状態が深静脈血栓症である、請求項１５または請求項１６に記載のキット製品または医薬製剤。
【請求項１８】  血栓症が外科手術によって生じる、請求項１７に記載のキット製品または医薬製剤。
【請求項１９】  外科手術が、胃腸外科手術または整形外科手術である、請求項１８に記載のキット製品または医薬製剤。
【請求項２０】  キット製品の成分（ａ）が、外科手術の前および／または後に非経口投与され、キット製品の成分（ｂ）がその外科手術後に経口投与される、請求項１８または請求項１９に記載のキット製品。
【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  架橋剤と式Ｉ
【化１】
2002542216.tif 000001
の重合性モノマーとを含む重合性組成物の調製プロセスであって、以下の工程：
（ｉ）式ＩＩ
【化２】
2002542216.tif 000002
の化合物と固定化された酸とを接触させる工程であって、
ここでＸ、Ｙ、Ｚ、ＰおよびＱは独立して、ヒドロカルビル基または水素から選択され、Ａは（ＣＨ２）ｎであり、ここでｎは０または１であり、Ｒ１が、式
【化２−１】
2002542216.tif 000003
の基であり、Ｒ２が、Ｈ、メチル、エチル、プロピルおよびブチルから選択されるか、またはＲ１が、式ＩＩＩ
【化２−２】
2002542216.tif 000004
の基であり、Ｒ２が、メチル、エチル、プロピルおよびブチルから選択され、かつＲ３が、不飽和Ｃ２−５アルキルから選択される、工程；
（ｉｉ）工程（ｉ）の生成物を中和して該架橋剤を形成する工程、
を包含する、プロセス。
【請求項２】  前記酸が強酸である、請求項１に記載のプロセス。
【請求項３】  前記酸が、イオン交換樹脂上に固定化されている、請求項１または２に記載のプロセス。
【請求項４】  ＸおよびＹが、１から２０個の炭素原子を有する炭化水素基および水素から独立して選択される、請求項１〜３のいずれか１項に記載のプロセス。
【請求項５】  Ｒ１が、式
【化３−１】
2002542216.tif 000005
の基であり、Ｒ２がＣＨ３である、請求項１〜４のいずれか１項に記載のプロセス。
【請求項６】  ＸがＨであり、ＹがＨであり、ＺがＨであり、ｎ＝０であり、Ｒ１が式
【化３−２】
2002542216.tif 000006
の基であって、ここでＲ２がＣＨ３である、請求項１〜５のいずれか１項に記載のプロセス。
【請求項７】  前記固定化された酸を収納するための手段を提供する工程、該固定化された酸を式ＩＩの化合物と接触させる工程、および気体を該固定化された酸に通す工程を包含する、請求項１〜６のいずれか１項に記載のプロセス。
【請求項８】  前記気体が空気である、請求項７に記載のプロセス。
【請求項９】  前記固定化された酸が、有機溶媒の非存在下で式ＩＩの化合物と接触される、請求項７または８に記載のプロセス。
【請求項１０】  前記工程（ｉ）が水の存在下で行われる、請求項１〜９のいずれか１項に記載のプロセス。
【請求項１１】  前記固定化された酸を収納するための手段が流動床反応器を含む、請求項７〜１０のいずれか１項に記載のプロセス。
【請求項１２】  前記プロセスが、前記気体が前記固定化された酸を通った後、該固定化された酸を収納するための前記手段から該気体を抽出する工程を包含する、請求項７〜１１のいずれか１項に記載のプロセス。
【請求項１３】  酸が、前記プロセスの間に形成され、該酸が、メタクリル酸およびアクリル酸から選択される、請求項１〜１２にいずれか１項に記載のプロセス。
【請求項１４】  前記プロセスが更に、式Ｉの重合性モノマーを重合し、それによってポリマーを形成する工程を包含する、請求項１〜１３のいずれか１項に記載のプロセス。
【請求項１５】  前記ポリマーから眼用デバイスを形成する工程をさらに包含する、請求項１４に記載のプロセス。
【請求項１６】  請求項１〜１３のいずれか１項で定義されたプロセスに従って得られる、重合性モノマーまたは組成物。
【請求項１７】  請求項１４で定義されたプロセスに従って得られる、ポリマー。
【請求項１８】  請求項１５で定義されたプロセスに従って調製される、眼用デバイス。
【請求項１９】  架橋剤と式Ｉ
【化４】
2002542216.tif 000007
の重合性モノマーとを含む重合性組成物の調製プロセスであって、以下の工程：
（ｉ）式ＩＩ
【化５】
2002542216.tif 000008
の化合物と３未満のｐＫａを有する固定化された酸とを接触させる工程であって、
ここでＸおよびＹは、独立して、１〜２０個の炭素原子を有する炭化水素基および水素から選択され、Ｚ、ＰおよびＱは、ヒドロカルビル基または水素から独立して選択され、Ａは（ＣＨ２）ｎであり、ここでｎは０または１であり、Ｒ１が、式
【化６】
2002542216.tif 000009
の基であり、Ｒ２が、Ｈ、メチル、エチル、プロピルおよびブチルから選択されるか、またはＲ１が、式ＩＩＩ
【化７】
2002542216.tif 000010
の基であり、Ｒ２が、メチル、エチル、プロピルおよびブチルから選択され、かつＲ３が、不飽和Ｃ２−５アルキルから選択される、工程；
（ｉｉ）工程（ｉ）の生成物を中和して該架橋剤を形成する工程、
を包含する、プロセス。
【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  式Ｉ
【化１】
2002542215.tif 000001
の重合性モノマーの調製プロセスであって、該プロセスは、式ＩＩ
【化２】
2002542215.tif 000002
の化合物を固定化された酸と接触させる工程を包含し、
ここでＸ、Ｙ、Ｚ、ＰおよびＱは独立して、ヒドロカルビル基または水素から選択され、ここでＡは（ＣＨ２）ｎであり、ここでｎは０または１であり、Ｒ１は、式
【化２−１】
2002542215.tif 000003
の基であって、Ｒ２が、Ｈ、メチル、エチル、プロピル、およびブチルから選択されるか、またはＲ１は、式ＩＩＩ
【化２−２】
2002542215.tif 000004
の基であって、Ｒ２が、メチル、エチル、プロピル、およびブチルから選択され、そしてＲ３が、不飽和Ｃ２−５アルキルから選択される、
プロセス。
【請求項２】  前記酸が強酸である、請求項１に記載のプロセス。
【請求項３】  前記酸が、イオン交換樹脂上に固定化されている、請求項１または２に記載のプロセス。
【請求項４】  ＸおよびＹが、１から２０個の炭素原子を有する炭化水素基および水素から独立して選択される、請求項１〜３のいずれか１項に記載のプロセス。
【請求項５】  Ｒ１が式
【化３−１】
2002542215.tif 000005
の基であり、ここで、Ｒ２がＣＨ３である、請求項１〜４のいずれか１項に記載のプロセス。
【請求項６】  ＸがＨであり、ＹがＨであり、ＺがＨであり、ＰがＣＨ３であり、ＱがＣＨ３であり、ｎ＝０であり、Ｒ１が式
【化３−２】
2002542215.tif 000006
の基であって、ここでＲ２がＣＨ３である、請求項１〜５のいずれか１項に記載のプロセス。
【請求項７】  前記固定化された酸を含有するための手段を提供する工程、該固定化された酸を前記式ＩＩの化合物と接触させる工程、および気体を該固定化された酸に通す工程を包含する、請求項１〜６のいずれか１項に記載のプロセス。
【請求項８】  前記気体が空気である、請求項７に記載のプロセス。
【請求項９】  前記固定化された酸が、有機溶媒の非存在下で前記式ＩＩの化合物と接触される、請求項７または８に記載のプロセス。
【請求項１０】  前記固定化された酸を含有するための手段が流動床反応器を含む、請求項７〜９のいずれか１項に記載のプロセス。
【請求項１１】  請求項７〜１０のいずれか１項に記載のプロセスであって、ここで該プロセスは、前記気体が前記固定化された酸を通った後に、該固定化された酸を含有するための手段から該気体を抽出する工程を包含する、プロセス。
【請求項１２】  前記形成される酸が、メタクリル酸およびアクリル酸から選択される、請求項１〜１１のいずれか１項に記載のプロセス。
【請求項１３】  請求項１〜１２のいずれか１項に記載のプロセスであって、該プロセスが、式Ｉの重合性モノマーを重合させ、それによってポリマーを形成する工程をさらに包含する、プロセス。
【請求項１４】  前記プロセスの間に形成される酸が、重合の前に中和されない、請求項１３に記載のプロセス。
【請求項１５】  前記ポリマーから眼用デバイスを形成する工程をさらに包含する、請求項１３または１４に記載のプロセス。
【請求項１６】  請求項１〜１２のいずれか１項で定義されたプロセスに従って得られる、重合性モノマーまたは組成物。
【請求項１７】  請求項１３または１４で定義されたプロセスに従って得られる、ポリマー。
【請求項１８】  請求項１５で定義されたプロセスに従って調製される、眼用デバイス。
【請求項１９】  ポリマーの調製プロセスであって、該プロセスは、以下の工程：
（ｉ）  式ＩＩ
【化６】
2002542215.tif 000007
の化合物を、固定化された酸と接触させる工程であって、
ここでＸ、Ｙ、Ｚ、ＰおよびＱが炭化水素基または水素から独立して選択され、そしてＡは（ＣＨ２）ｎであり、ここでｎは０または１であり、Ｒ１は、式
【化６−１】
2002542215.tif 000008
の基であって、Ｒ２が、Ｈ、メチル、エチル、プロピル、およびブチルから選択されるか、またはＲ１は、式ＩＩＩ
【化６−２】
2002542215.tif 000009
の基であって、Ｒ２が、メチル、エチル、プロピル、およびブチルから選択され、そしてＲ３が、不飽和Ｃ２−５アルキルから選択され、
その結果、式Ｉ
【化７】
2002542215.tif 000010
の重合性モノマーが提供される、工程、および、
（ｉｉ）重合性組成物中に存在する任意の酸が、重合の前に中和されないという条件で、式Ｉの該重合性モノマーを重合させる工程、
を包含する、プロセス。